(57)【要約】【課題】  海水配管への海中生物の付着をより軽減する。【解決手段】  海水が取水口１１から海水電解ポンプ１２を介してストレーナ１３を通過し、受液槽１４からリサイクルポンプ１５を介して海水電解装置１６および海水使用設備Ｆに送られるとともに、海水電解装置１６で生成された次亜塩素酸ソーダが受液槽１４に供給される海水供給システムにおいて、次亜塩素酸ソーダを海水電解ポンプ１２の上流側に供給する供給路２１を備える。【選択図】  図１
2014156642.tif 000002
【特許請求の範囲】
【請求項１】
海水が取水口から海水電解ポンプを介してストレーナを通過し、受液槽からリサイクルポンプを介して海水電解装置および海水使用設備に送られるとともに、前記海水電解装置で生成された次亜塩素酸ソーダが前記受液槽に供給される海水供給システムにおいて、
前記次亜塩素酸ソーダを前記海水電解ポンプの上流側に供給する供給手段を備える、ことを特徴とする海水供給システム。
【請求項２】
前記供給手段は、前記受液槽内の次亜塩素酸ソーダを含む海水を、前記リサイクルポンプから前記海水電解ポンプの上流側に供給する供給路から構成され、
前記海水使用設備から放流される海水に含まれる次亜塩素酸ソーダの濃度が、所定の濃度以下になるように、前記リサイクルポンプの吐出量を制御する制御手段を備える、
ことを特徴とする請求項１に記載の海水供給システム。
【請求項３】
海水を取水口から海水電解ポンプを介してストレーナを通過させ、受液槽からリサイクルポンプを介して海水電解装置および海水使用設備に送るとともに、前記海水電解装置で生成された次亜塩素酸ソーダを前記受液槽に供給する海水供給方法において、
前記次亜塩素酸ソーダを前記海水電解ポンプの上流側に供給する、ことを特徴とする海水供給方法。
【請求項４】
前記受液槽内の次亜塩素酸ソーダを含む海水を、前記リサイクルポンプによって前記海水電解ポンプの上流側に供給し、
前記海水使用設備から放流される海水に含まれる次亜塩素酸ソーダの濃度が、所定の濃度以下になるように、前記リサイクルポンプの吐出量を制御する、
ことを特徴とする請求項３に記載の海水供給方法。
【発明の詳細な説明】
【技術分野】
【０００１】
この発明は、発電所において海水を冷却水として各設備に供給する海水供給システムおよび海水供給方法に関する。
【背景技術】
【０００２】
発電所では、海水を冷却水として、多様な設備で使用している。すなわち、図２に示すように、取水口１０１から取水した海水が、海水電解ポンプ１０２によって汲み上げられてストレーナ１０３を通過し、受液槽１０４に貯留される。そして、受液槽１０４内の海水が各海水使用設備Ｆに供給されるようになっている。
【０００３】
また、海水中には、イガイやフジツボなどの海中生物が生息しており、これらの海中生物が取水口１０１から流入して各海水使用設備Ｆ側に流れ込み、海水配管に付着してしまう。このため、海水を電気分解して次亜塩素酸ソーダ（次亜塩素酸ナトリウム）を生成する技術（例えば、特許文献１参照。）を利用して、海中生物を死滅させることが行われている。
【０００４】
すなわち、図２に示すように、受液槽１０４内の海水を、リサイクルポンプ１０５で各海水使用設備Ｆに供給するとともに海水電解装置１０６に送る。そして、海水電解装置１０６で生成した次亜塩素酸ソーダを受液槽１０４に供給することで、次亜塩素酸ソーダを含む海水を各海水使用設備Ｆに供給して、次亜塩素酸ソーダで海中生物を死滅させるものである。
【０００５】
さらに、取水口１０１の下流側にストレーナ１０３を設けることで、取水口１０１から取水した海水に含まれる海中生物が、受液槽１０４側（海水電解装置１０６側）に流入するのを抑制している。
【先行技術文献】
【特許文献】
【０００６】
【特許文献１】実開平０３−４１８５１号公報
【発明の概要】
【発明が解決しようとする課題】
【０００７】
しかしながら、ストレーナ１０３に海中生物が付着して堆積したり、付着した幼虫が成長したりすると、ストレーナ１０３が目詰まりして海水を海水電解装置１０６に送れなくなる場合がある。この場合、海水電解装置１０６を停止しなければならず、停止中は、次亜塩素酸ソーダで海中生物を死滅させることができず、各海水使用設備Ｆの海水配管に対する海中生物の付着量が増加してしまう、という問題が生じる。
【０００８】
そこでこの発明は、海水配管への海中生物の付着をより軽減することが可能な海水供給システムおよび海水供給方法を提供することを目的とする。
【課題を解決するための手段】
【０００９】
上記課題を解決するために、請求項１の発明は、海水が取水口から海水電解ポンプを介してストレーナを通過し、受液槽からリサイクルポンプを介して海水電解装置および海水使用設備に送られるとともに、前記海水電解装置で生成された次亜塩素酸ソーダが前記受液槽に供給される海水供給システムにおいて、前記次亜塩素酸ソーダを前記海水電解ポンプの上流側に供給する供給手段を備える、ことを特徴とする。
【００１０】
この発明によれば、まず、海水電解装置で生成された次亜塩素酸ソーダが受液槽に供給されるため、次亜塩素酸ソーダを含む海水がリサイクルポンプを介して海水使用設備に送られる。さらに、供給手段によって次亜塩素酸ソーダが海水電解ポンプの上流側に供給されるため、次亜塩素酸ソーダが海水とともに海水電解ポンプを介してストレーナを通過する。
【００１１】
請求項２の発明は、請求項１に記載の海水供給システムにおいて、前記供給手段は、前記受液槽内の次亜塩素酸ソーダを含む海水を、前記リサイクルポンプから前記海水電解ポンプの上流側に供給する供給路から構成され、前記海水使用設備から放流される海水に含まれる次亜塩素酸ソーダの濃度が、所定の濃度以下になるように、前記リサイクルポンプの吐出量を制御する制御手段を備える、ことを特徴とする。
【００１２】
この発明によれば、受液槽内の次亜塩素酸ソーダを含む海水が、供給路によってリサイクルポンプから海水電解ポンプの上流側に供給される。また、海水使用設備から放流される海水に含まれる次亜塩素酸ソーダの濃度が、所定の濃度以下になるように、制御手段によってリサイクルポンプの吐出量が制御される。
【００１３】
請求項３の発明は、海水を取水口から海水電解ポンプを介してストレーナを通過させ、受液槽からリサイクルポンプを介して海水電解装置および海水使用設備に送るとともに、前記海水電解装置で生成された次亜塩素酸ソーダを前記受液槽に供給する海水供給方法において、前記次亜塩素酸ソーダを前記海水電解ポンプの上流側に供給する、ことを特徴とする。
【００１４】
請求項４の発明は、請求項３に記載の海水供給方法において、前記受液槽内の次亜塩素酸ソーダを含む海水を、前記リサイクルポンプによって前記海水電解ポンプの上流側に供給し、前記海水使用設備から放流される海水に含まれる次亜塩素酸ソーダの濃度が、所定の濃度以下になるように、前記リサイクルポンプの吐出量を制御する、ことを特徴とする。
【発明の効果】
【００１５】
請求項１、３の発明によれば、次亜塩素酸ソーダが海水電解ポンプの上流側に供給されるため、ストレーナの上流側で次亜塩素酸ソーダによって海中生物が死滅される。このため、海中生物の付着によるストレーナの目詰まりや、海水電解装置に至るまでの配管内での海中生物の付着が抑制・防止され、海水の海水電解装置への流れが良好に維持される。この結果、海水電解装置による次亜塩素酸ソーダの生成を継続的に維持して、海中生物を死滅させ、海水使用設備の海水配管に対する海中生物の付着をより軽減することが可能となる。
【００１６】
請求項２、４の発明によれば、受液槽内の次亜塩素酸ソーダを含む海水を、リサイクルポンプによって海水電解ポンプの上流側に供給するだけでよいため、従来の海水供給システムを大きく変更、改造することなく、容易かつ低費用で海水配管への海中生物の付着を軽減することができる。さらに、海水使用設備から放流される海水に含まれる次亜塩素酸ソーダの濃度が、所定の濃度以下になるように、リサイクルポンプの吐出量が制御されるため、適正、適法な海水のみを放流することができる。
【図面の簡単な説明】
【００１７】
【図１】この発明の実施の形態に係る海水供給システムを示す構成ブロック図である。
【図２】従来の海水供給システムを示す構成ブロック図である。
【発明を実施するための形態】
【００１８】
以下、この発明を図示の実施の形態に基づいて説明する。
【００１９】
図１は、この発明の実施の形態に係る海水供給システム１を示す構成ブロック図である。この海水供給システム１は、発電所において海水を冷却水として各海水使用設備Ｆに供給するシステム・設備であり、既存・既製のシステムに供給路（供給手段）２１と、濃度計（制御手段）３１と、制御装置（制御手段）３２とを備えている。ここで、各海水使用設備Ｆは、海水を冷却水として使用する各種設備であり、海水が流れる海水配管が配設されている。
【００２０】
すなわち、取水口１１から取水した海水が、海水電解ポンプ１２によって汲み上げられて、海中生物などを遮断・濾過するストレーナ１３を通過し、受液槽１４に貯留される。そして、受液槽１４内の海水が、リサイクルポンプ１５によって各海水使用設備Ｆと海水電解装置１６とに供給される。
【００２１】
海水電解装置１６は、海水を電気分解して次亜塩素酸ソーダを生成する装置であり、生成された次亜塩素酸ソーダが受液槽供給路１６１を介して、受液槽１４に供給されるようになっている。これにより、受液槽１４から次亜塩素酸ソーダを含む海水が、リサイクルポンプ１５によって各海水使用設備Ｆに供給され、各海水使用設備Ｆの海水配管中に寄生する海中生物やその幼虫を、次亜塩素酸ソーダで死滅させる。あるいは、海中生物やその幼虫が海水配管中に寄生するのを、次亜塩素酸ソーダで抑制・防止するものである。また、各海水使用設備Ｆで使用された海水は、放水口１７を介して海に放流されるようになっている。
【００２２】
供給路２１は、次亜塩素酸ソーダを海水電解ポンプ１２の上流側に供給する流路である。具体的には、上流側の端部が、リサイクルポンプ１５から各海水使用設備Ｆに至る設備供給路１５１に接続され、下流側の端部が、取水口１１から海水電解ポンプ１２に至る取水流路１１１に接続されている。これにより、受液槽１４内の次亜塩素酸ソーダを含む海水が、リサイクルポンプ１５から供給路２１を経由して、海水電解ポンプ１２の上流側の取水流路１１１に供給されるようになっている。
【００２３】
ここで、供給路２１は、三方弁１５２を介して設備供給路１５１に接続され、リサイクルポンプ１５からの海水が、三方弁１５２を介して各海水使用設備Ｆ側と供給路２１とに流れるようになっている。また、供給路２１に流れる海水は、後述するような付着防止範囲Ｒにおいて、海中生物の付着を抑制・防止できる量の次亜塩素酸ソーダが供給されるように設定されている。一方、各海水使用設備Ｆ側に流れる海水は、各海水使用設備Ｆで必要な量の海水が供給されるように設定されている。
【００２４】
濃度計３１は、放水口１７に設置され、各海水使用設備Ｆから放水口１７に流れる海水に含まれる次亜塩素酸ソーダの濃度を計測する計器である。この濃度計３１は、常時、次亜塩素酸ソーダの濃度を計測し、計測結果を随時、制御装置３２に送信するようになっている。
【００２５】
制御装置３２は、各海水使用設備Ｆから放流される海水に含まれる次亜塩素酸ソーダの濃度が、所定の濃度以下になるように、リサイクルポンプ１５の吐出量（吐出口の開口度）を制御する装置である。すなわち、濃度計３１から受信した計測結果に基づいて、海水使用設備Ｆから放水口１７に流れる海水に含まれる次亜塩素酸ソーダの濃度が、この実施の形態では「０」になるように、リサイクルポンプ１５の吐出量、つまり次亜塩素酸ソーダの供給流量を制御するものである。
【００２６】
次に、このような構成の海水供給システム１の作用および、この海水供給システム１による海水供給方法について説明する。
【００２７】
まず、取水口１１から取水した海水が、海水電解ポンプ１２によって汲み上げられて、ストレーナ１３を通過することで海中生物などが遮断・濾過され、受液槽１４に貯留される。そして、受液槽１４内の海水が、リサイクルポンプ１５によって各海水使用設備Ｆと海水電解装置１６とに供給される。
【００２８】
一方、海水電解装置１６で生成された次亜塩素酸ソーダが受液槽１４に供給され、受液槽１４から次亜塩素酸ソーダを含む海水が、リサイクルポンプ１５によって各海水使用設備Ｆに供給される。これにより、各海水使用設備Ｆの海水配管中の海中生物が死滅されるとともに、海中生物の寄生が抑制・防止される。そして、各海水使用設備Ｆで使用された海水が、放水口１７を介して海に放流される。
【００２９】
さらに、受液槽１４内の次亜塩素酸ソーダを含む海水が、リサイクルポンプ１５から三方弁１５２および供給路２１を介して、海水電解ポンプ１２の上流側の取水流路１１１に供給される。このため、次亜塩素酸ソーダが、海水とともに海水電解ポンプ１２を介してストレーナ１３を通過し、受液槽１４に流入する。この結果、海水電解ポンプ１２の上流側（入口）から受液槽１４の上流側（入口）にわたる付着防止範囲Ｒにおいて、次亜塩素酸ソーダによって海中生物が死滅されるとともに、海中生物の寄生が抑制・防止される。
【００３０】
一方、各海水使用設備Ｆから放水口１７に流れる海水に含まれる次亜塩素酸ソーダの濃度が、濃度計３１によって常時計測され、その計測結果が随時、制御装置３２に送信される。そして、制御装置３２によって、各海水使用設備Ｆから放流される海水に含まれる次亜塩素酸ソーダの濃度が、「０」になるように、リサイクルポンプ１５の吐出量、つまり次亜塩素酸ソーダの供給流量が制御されるものである。
【００３１】
以上のように、この海水供給システム１および海水供給方法によれば、次亜塩素酸ソーダが海水電解ポンプ１２の上流側（入口）に供給されて、ストレーナ１３の上流側を含む付着防止範囲Ｒにおいて海中生物が死滅等される。このため、海中生物の付着によるストレーナ１３の目詰まりや、海水電解装置１６に至るまでの配管内での海中生物の付着が抑制・防止され、海水の海水電解装置１６側への流れが良好に維持される。この結果、海水電解装置１６による次亜塩素酸ソーダの生成を中断することなく継続的に維持して、各海水使用設備Ｆの海水配管に対する海中生物の付着をより防止、軽減することが可能となる。しかも、海水電解ポンプ１２の上流側つまり入口に次亜塩素酸ソーダを注入するため、海水電解ポンプ１２を通過する海水中に次亜塩素酸ソーダが均等に攪拌され、システム１全体に対する海中生物の付着をより防止、軽減することが可能となる。
【００３２】
そして、このようにして海中生物の付着をより防止、軽減することができる結果、ストレーナ１３や海水電解装置１６に至る配管、さらには各海水使用設備Ｆの海水配管の清掃頻度を削減して、清掃費用を軽減することができる。
【００３３】
また、受液槽１４内の次亜塩素酸ソーダを含む海水を、リサイクルポンプ１５を利用して供給路２１で取水流路１１１に供給するだけでよい。つまり、三方弁１５２と供給路２１とを新たに設けるだけでよいため、既存・既製の海水供給システムを大きく変更、改造することなく、容易かつ低費用で海水配管への海中生物の付着を防止、軽減することができる。
【００３４】
一方、各海水使用設備Ｆから放流される海水に含まれる次亜塩素酸ソーダの濃度が、「０」になるように、リサイクルポンプ１５の吐出量が制御されるため、適正、適法な海水のみを放流することができる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、受液槽１４内の次亜塩素酸ソーダを含む海水を、リサイクルポンプ１５から供給路２１を介して海水電解ポンプ１２の上流側に供給しているが、その他の経路で、次亜塩素酸ソーダを海水電解ポンプ１２の上流側に供給してもよい。例えば、海水電解装置１６で生成した次亜塩素酸ソーダを、海水電解ポンプ１２の上流側に直接供給する経路を設けてもよい。
【符号の説明】
【００３６】
１        海水供給システム
１１      取水口
１２      海水電解ポンプ
１３      ストレーナ
１４      受液槽
１５      リサイクルポンプ
１６      海水電解装置
１７      放水口
２１      供給路（供給手段）
３１      濃度計（制御手段）
３２      制御装置（制御手段）
Ｆ        海水使用設備
Ｒ        付着防止範囲
【図１】
2014156642.tif 000003
【図２】
2014156642.tif 000004